(57)【要約】  【課題】  バンダルプルーフ対応のためにピンホールレンズを使用したカメラ玄関子機として最適なものになり、且つ外部からの破壊に強くなると共に、カメラの撮像範囲を簡単に変更できるようにする。  【解決手段】  子機ケース１に映像光を取り込むための窓部２を設け、子機ケース１内に設けられた固定フレーム１０に、窓部２と所定の位置関係に設置され且つ窓部２から入力された映像光を集光するピンホールレンズ３４を設け、このピンホールレンズ３４によって集光された映像を結像する撮像素子４３は回路基板４２に実装してあって、回路基板４２を坦持した基板保持プレート４１が保持手段により移動可能に固定フレーム１０に保持されていて、移動調整手段によって基板保持プレート４１を介して撮像素子４３を移動することにより撮像範囲を変更するようにした。【選択図】  図１
2006262307.tif 000002
【特許請求の範囲】
【請求項１】
室内親機側でモニタするために玄関等の映像を撮像するテレビドアホンのカメラ玄関子機であって、映像光を取り込むための開口部と、この開口部と所定の位置関係に設置され且つ前記開口部から入力された映像光を集光するピンホールレンズと、このピンホールレンズによって集光された映像を結像する撮像素子と、この撮像素子を移動させるための移動調整手段とを有し、この移動調整手段によって前記撮像素子を移動することにより撮像範囲を変更するようにしたことを特徴とするカメラ玄関子機。
【請求項２】
前記撮像素子を回路基板に実装し、この回路基板を基板保持プレートに保持させることで可動部が構成してあり、前記開口部は子機ケースに設けてあり、前記ピンホールレンズは前記子機ケース内に設けられた固定フレームに固定してあり、前記可動部が前記固定フレームに保持手段により移動可能に保持されていることを特徴とする請求項１に記載のカメラ玄関子機。
【請求項３】
前記移動調整手段が前記可動部を移動させることで、前記前記撮像素子が移動することを特徴とする請求項２記載のカメラ玄関子機。
【請求項４】
前記開口部は、前記撮像素子の最大移動位置において前記ピンホールレンズを介して映像を結像できる大きさで開口していることを特徴とする請求項１乃至請求項３の何れかの一に記載のカメラ玄関子機。
【請求項５】
前記開口部は、光を透過する透明部材で覆われていることを特徴とする請求項１乃至請求項４の何れかの一に記載のカメラ玄関子機。
【発明の詳細な説明】
【技術分野】
【０００１】
本発明は、住宅用のインターホンの一種であるテレビドアホンシステム等におけるカメラ玄関子機に係わり、カメラの撮像範囲を変更調整する撮像範囲調整装置を有するカメラ玄関子機に関するものである。
【背景技術】
【０００２】
一般に、住宅用のインターホンの一種であるテレビドアホンの構成機器であるカメラ玄関子機は塀や門柱等の所定の位置に設置される。
【０００３】
そして、従来におけるカメラ玄関子機としては、本体ケース内にカメラを配置して、この本体ケースの前面を透明カバーで覆っており、カメラは透明カバーを透して撮影する構造であったし、カメラの撮像範囲の変更は、カメラの角度調整装置の作動でカメラ部の向きを変更することにより行なわれていた。
【０００４】
そして、カメラの角度調整装置は、カメラ本体が本体ケースに回転軸を支点に回動可能に取付けられ、このカメラ本体の回転軸に対して略直交する側部に従動部を設け、この従動部が摺動可能に嵌合する傾斜した長溝部を有する駆動用レバーを本体ケースに移動可能に設置し、駆動用レバーを移動させることにより、長溝部によってカメラ本体における従動部の設置側を上下動させてカメラ本体を回動支点を中心に回動させるように構成したものであり、この構成によって、任意の角度にカメラを設置するための角度調整作業をレバー移動により行うことができるようにしている（特許文献１参照）。
【０００５】
また、従来におけるカメラ玄関子機としては、基板上に、電荷結合素子（ＣＣＤ）、マイクロホン、電源ジャック及び映像ジャックのコネクタ等のパーツを接続配置し、且つ電荷結合素子（ＣＣＤ）に対応する上方にレンズホルダーを介してレンズを設けてカメラ本体部を構成し、正面閉塞板を有する箱型の本体ケース内にカメラ本体部を収納すると共に、正面閉塞板におけるレンズおよびマイクロホンとの対応部位にピンホール及びマイクロホン孔を設けて、外見上カメラらしくない体裁にしたものがある（特許文献２参照）。
【特許文献１】特開平１１−１１９３０１号公報
【特許文献２】登録実用新案公報  第３０２０７３５号公報
【発明の開示】
【発明が解決しようとする課題】
【０００６】
しかし、上記した前者の従来のカメラ玄関子機にあっては、カメラ本体を回動させてカメラの角度を変更調整するものであり、バンダルプルーフ対応のためにピンホールレンズを使用したカメラ玄関子機には適用できないものである。すなわち、このピンホールレンズを使用したカメラ玄関子機においては、映像光を取り入れる開口部が小さいことと、この開口部と所定の位置関係を必要とするピンホールレンズが固定されるために、カメラ本体を回動させることが困難であるためである。
【０００７】
また、カメラの前面が透明なカバーで覆われている前者の従来のカメラ玄関子機は、玄関等の戸外に設置される場合に、外部から破壊されることが考えられ、特にカメラが見えている場合は狙われる可能性が高いという問題点があった。
【０００８】
また、従来の後者の従来のカメラ玄関子機にあっては、ピンホール型のカメラであり、バンダルプルーフ対応のカメラとして有効であるが、このようなピンホール型のカメラにおいては、カメラの角度が調整できないために、カメラ玄関子機を設置場所に固定する場合は、カメラ玄関子機本体の向きを変えて取付ける等をしなければならず、設置工事が難しいという問題点があった。
【０００９】
本発明は、上記した問題点を解決するものであり、その目的とするところは、バンダルプルーフ対応のためにピンホールレンズを使用したカメラ玄関子機として最適なものになり、且つ外部からの破壊に強くなると共に、カメラの撮像範囲を簡単に変更できるカメラ玄関子機を提供することである。
【課題を解決するための手段】
【００１０】
上記の目的を達成するために、本発明に係るカメラ玄関子機は、室内親機側でモニタするために玄関等の映像を撮像するテレビドアホンのカメラ玄関子機であって、映像光を取り込むための開口部と、この開口部と所定の位置関係に設置され且つ開口部から入力された映像光を集光するピンホールレンズと、このピンホールレンズによって集光された映像を結像する撮像素子と、この撮像素子を移動させるための移動調整手段とを有し、この移動調整手段によって撮像素子を移動することにより撮像範囲を変更するようにしたことを特徴とする。
【００１１】
かかる構成により、ピンホールレンズを固定した状態で撮像素子を移動させることができて、カメラの撮像範囲を変更することができる。したがって、バンダルプルーフ対応のためにピンホールレンズを使用したカメラ玄関子機として最適なものになり、且つ設置が簡単で撮像範囲を容易に調整することができる。
【００１２】
また、本発明に係るカメラ玄関子機は、上記した本発明に係るカメラ玄関子機において、撮像素子を回路基板に実装し、この回路基板を基板保持プレートに保持させることで可動部が構成してあり、開口部は子機ケースに設けてあり、ピンホールレンズは子機ケース内に設けられた固定フレームに固定してあり、可動部が固定フレームに保持手段により移動可能に保持されていることを特徴とする。
【００１３】
かかる構成により、ピンホールレンズは子機ケース内に設けられた固定フレームに固定してあって、ピンホールレンズが外部から見えないために、破壊されるのを防ぐことができて、外部からの破壊に強いカメラ玄関子機を構成することができる。
【００１４】
また、本発明に係るカメラ玄関子機は、上記した本発明に係るカメラ玄関子機において、移動調整手段が可動部を移動させることで、撮像素子を移動することを特徴とする。
【００１５】
かかる構成により、撮像素子を可動部ごとに移動することで、カメラ全体を回転させる従来の場合に比べて移動に要するスペースが狭いものになって小型化できるし、また、移動調整手段の構造が簡単になる。
【００１６】
また、本発明に係るカメラ玄関子機は、上記した本発明に係るカメラ玄関子機において、開口部は、撮像素子の最大移動位置においてピンホールレンズを介して映像を結像できる大きさで開口していることを特徴とする。
【００１７】
かかる構成により、開口部を最小限の大きさにできるために、外部からの破壊に強くなる。
【００１８】
また、本発明に係るカメラ玄関子機は、上記した本発明に係るカメラ玄関子機において、開口部は、光を透過する透明部材で覆われていることを特徴とする。
【００１９】
かかる構成により、外部からの水滴や粉塵が開口部から機内に侵入することを防ぐことができる。
【発明の効果】
【００２０】
本発明に係るカメラ玄関子機によれば、ピンホールレンズを固定した状態で撮像素子を移動させることができて、カメラの撮像範囲を変更することができる。したがって、バンダルプルーフ対応のためにピンホールレンズを使用したカメラ玄関子機として最適なものになり、設置が簡単で撮像範囲を容易に調整することができるし、また、外部からの破壊に強くなる。
【発明を実施するための最良の形態】
【００２１】
以下、本発明に係るカメラ玄関子機の実施形態について、図面を参照しながら説明する。
【００２２】
図１は本発明に係るカメラ玄関子機の斜視図、図２は同カメラ玄関子機の裏面における調整レバー部分の説明図である。なお、説明の便宜上、前後、左右及び上下方向を図に示すように設定する。
【００２３】
図１に示すように、カメラ玄関子機Ｆは子機ケース１を備えており、この子機ケース１の表面部には、その上部から下部にかけて開口部である窓部２と、マイクロホン用スリット３、４と、コール釦５と、スピーカ用スリット６と、ボルトカバー螺合孔を兼ねる取付ボルトの挿入孔７とが設けてある。また、子機ケース１の表面部にはマイクロホン用スリット３の下方に位置させてダミーピンホール３４Ｆが設けてあり、子機ケース１の下端部には排水孔９が設けてある。
【００２４】
そして、窓部２は、後述する撮像素子４３の最大移動位置においてピンホールレンズ３４を介して映像を結像できる大きさで開口しているし、また、窓部２は、光を透過する透明部材２Ａで覆われていて、外部からの水滴や粉塵が窓部２から子機ケース１内に侵入するのを防止している。
【００２５】
そして、子機ケース１内には、後述の図１９に示すピンホールレンズカメラＰと、このピンホールレンズカメラＰの撮像範囲調整装置Ａ(図３参照)と、マイクロホン（図示せず）と、スピーカ（図示せず）と、これらの機器の制御用回路基板（図示せず）とが収容してある。そして、図２に示すように、子機ケース１の裏側は裏蓋１Ａで閉塞してあり、この裏蓋１Ａには、その上部左側に撮像範囲調整用の調整レバー用孔部５６が、また、その上部中央に係合孔部５７がそれぞれ設けてある。また、裏蓋１Ａには、その下部中央に貫通孔（図示せず）が設けてある。
【００２６】
そして、後述する撮像範囲調整装置Ａの調整レバー５０の連結軸部５２(図１７、図１８参照)が調整レバー用孔部５６に挿通させてあって、調整レバー５０のレバー部５１が裏蓋１Ａの外の表出している。
【００２７】
後に詳細に説明するように、撮像範囲の調整は撮像範囲調整装置Ａの調整レバー５０を上下方向に移動して行なうものである。
【００２８】
撮像範囲調整装置Ａは、図３乃至図６に示すように、固定フレーム１０と可動部４０と調整レバー５０を備えており、固定フレーム１０は、ベース側フレーム部１１と、レンズ坦持側フレーム部１２と、可動部４０を移動可能に保持する後述する保持手段を有している。
【００２９】
図７及び図９に示すように、ベース側フレーム部１１は板状のフレーム本体１１Ａを有しており、このフレーム本体１１Ａには、その左側部に位置させてベース側スライドガイド部１３が形成してあり、このスライドガイド部１３には、上下方向に長い長孔状のスライドガイド１４が形成してあり、このスライドガイド１４の上端側はフレーム本体１１Ａの左方に導入部１４ａを介して開放してある。
【００３０】
また、フレーム本体１１Ａの内面部（前面部）１１ａには、その左側下部に位置させて位置決め用突起部１５が形成してある。そして、フレーム本体１１Ａの内面部１１ａには、その上部の左右に位置させてピン状の突起部１６Ａ、１６Ｂが、下部の左に位置させてピン状の突起部１６Ｃがそれぞれ突設してある。また、フレーム本体１１Ａには、その左側部に上下に位置させて取付孔１７Ａ、１７Ｂが設けてあり、また、その右側下部に位置させて取付孔１７Ｃが設けてある。
【００３１】
レンズ坦持側フレーム部１２は、図１０乃至図１３に示すように、逆Ｕ字形状のフレーム本体１２Ａを有しており、このフレーム本体１２Ａの中央部には円形状のレンズ装着部２０が設けてあり、このレンズ装着部２０は、フレーム本体１２Ａに形成した筒部２１の内周面に雌ねじ部２２を形成して構成してある。
【００３２】
また、フレーム本体１２Ａには、レンズ装着部２０を挟んだ左右に位置させて左右方向に長いガイド孔部２３Ａ、２３Ｂが形成してある。また、フレーム本体１２Ａの左部にはレンズ坦持側スライドガイド部２５が設けてある。そして、図１２及び図１３に示すように、フレーム本体１２Ａの内面部１２ａとレンズ坦持側スライドガイド部２５との間には段差部２６が形成してあって、この段差部２６に上下方向に長い開口部２７が形成してある。
【００３３】
また、レンズ坦持側スライドガイド部２５は、図１２に示すように、上下方向に沿うガイド面部２８の左側に、このガイド面部２８に対して垂直な立壁部２８Ａを上下方向に形成して構成してあり、このレンズ坦持側スライドガイド部２５は断面Ｌ字形状を成している。そして、ガイド面部２８には上下方向に長い長孔であるスライドガイド２９が形成してあり、ガイド面部２８の下部には、図１２に示すようにＬ字形状の立壁部３０が形成してあって、この立壁部３０の内方が相手ケース位置決め部３１にしてある。
【００３４】
また、フレーム本体１２Ａの内面部１２ａには、レンズ坦持側スライドガイド部２５の上端部に位置させて取付用ボス部３２Ａが突設してあり、また、レンズ坦持側スライドガイド部２５の左下部に位置させて取付用ボス部３２Ｂが突設してあり、また、フレーム本体１２Ａの右下部に位置させて取付用ボス部３２Ｃが突設してある。また、フレーム本体１２Ａの左、右側の下部には、取付孔３３ａを有する取付座部３３が設けてある。
【００３５】
そして、図１１及び図１２に示すように、レンズ装着部２０には、カメラレンズであるピンホールレンズ３４を保持したレンズ保持体３５が、図１０に示すようにその周部に設けた雄ねじ部３６を雌ねじ部２２に螺合することで装着してある。そして、レンズ保持体３５の中央にはピンホールレンズ３４に対向するピンホール３４Ａが形成してある。
【００３６】
また、可動部４０は、図１５及び図１６に示すように、基板保持プレート４１と、この基板保持プレート４１に保持された回路基板４２を備えており、この回路基板４２には、その表面の略中央部に撮像素子（ＣＣＤ）４３が実装してある。基板保持プレート４１の中央部には窓部４３Ａが設けてあり、この窓部４３Ａの上、下縁部には押え部４４が設けてあり、これらの押え部４４が撮像素子４３の表面を保護する透明ガラスから成る保護板４５を押えている。
【００３７】
また、基板保持プレート４１には、その窓部４３の左、右方に位置させてガイド突起部４６Ａ、４６Ｂが突設してある。また、基板保持プレート４１は、その左側下部にカム形成部４７を設けており、このカム形成部４７には上下方向に沿う長孔状のカム４８が形成してある。このカム４８は、その上端部４８ａに対して下端部４８ｂを基板保持プレート４１の中心側に寄せた傾斜孔となっている。
【００３８】
また、調整レバー５０は、図１７及び図１８に示すように、レバー部５１を有しており、このレバー部５１には、このレバー部５１の面部に対して直角に連結軸部５２が形成してあり、この連結軸部５２の端部にはスライダー５３が設けてあり、このスライダー５３にはカム用突起部５４が突設してある。
【００３９】
そして、図３乃至図７に示すように、レンズ坦持側フレーム部１２がベース側フレーム部１１に固着されていて固定フレーム１０が構成してある。この場合、図４に示すように、ベース側フレーム部１１の位置決め用突起部１６をレンズ坦持側フレーム部１２の相手ケース位置決め部３１に嵌合し、取付用ボス部３２Ａを取付孔１７Ａに、取付用ボス部３２Ｂを取付孔１７Ｂに、更に、取付用ボス部３２Ｃを取付孔１７Ｃにそれぞれ一致させて取付ねじ５５により固着してある。
【００４０】
この場合、図７に示すように、ベース側フレーム部１１とレンズ坦持側フレーム部１２との間には収容空間Ｋと調整レバー保持ガイド部Ｍが形成される。この調整レバー保持ガイド部Ｍは、互いに対向するベース側スライドガイド部１３とレンズ坦持側スライドガイド部２５との間の空間であり、また、図４に示すように、ベース側スライドガイド部１３とレンズ坦持側スライドガイド部２５との対向により、図９に示すスライドガイド１４と図１２に示すスライドガイド２９が互いに対向するようになる。
【００４１】
そして、図７に示すように収容空間Ｋには可動部４０が収容してある。この場合、ベース側フレーム部１１に設けた複数の突起部１６Ａ、１６Ｂ、１６Ｃが可動部４０の回路基板４２の面部に摺接しており、可動部４０における左、右のガイド突起部４６Ａ、４６Ｂがレンズ坦持側フレーム部１２の左右のガイド孔部２３Ａ、２３Ｂに摺動可能に挿入してあり、また、図１３及び図１４に示すように、可動部４０のカム形成部４２が図１３および図１４に示す開口部２７に挿入してあって、可動部４０が左右方向に移動可能にしてある。そして、図７に示すように、レンズ坦持側スライドガイド部２５の前面にカム形成部４２が位置しており、このカム形成部４２に形成した長孔状のカム４８が図５に示すようにスライドガイド１４、２９に重なり合うようになる。
【００４２】
このように、可動部４０が収容空間Ｋに収容された状態では、ピンホールレンズ３４の後方に撮像素子４３が位置している。また、上記した保持手段は、ベース側フレーム部１１に設けられて可動部４０に摺接する複数の突起部１６Ａ、１６Ｂ、１６Ｃと、レンズ坦持側フレーム部１２に設けられて可動部４０の移動方向（左右方向）に長いガイド孔部２３Ａ、２３Ｂと、基板保持プレート４１に設けられてガイド孔部２３Ａ、２３Ｂに摺動可能に挿入されるガイド用突起部４６Ａ、４６Ｂとで構成してある。
【００４３】
また、調整レバー保持ガイド部Ｍには、図１７及び図１８に示す操作レバー５０のスライダー５３が挿入してあって、このスライダー５３が図１４に示すスライドガイド部２６のガイド面部２７と立壁部２８とに摺接していて、図５に示すように、このスライダー５３に突設したカム用突起部５４がスライドガイド２９を貫通してカム４８に挿入してある。また、図１７及び図１８に示す操作レバー５０の連結軸部５２が図８に示すベース側フレーム部１１のスライドガイド１４を貫通していて、操作レバー５０のレバー部５１がベース側フレーム部１１の後方に配置されている。
【００４４】
そして、上記のように構成されたカメラ玄関子機の撮像範囲調整装置Ａは、その取付座部３３を用いて子機ケース１の内部にねじで固定されていて、ピンホールレンズ３４がピンホール３４Ａを介して窓部２に接近させてある。そして、図１９に示すように、窓部２とピンホール３４Ａとピンホールレンズ３４と撮像素子４３とでピンホールレンズカメラＰを構成してある。また、調整レバー５０は、その連結軸部５２を裏蓋９のレバー用孔部に挿入した状態で、図２に示すようにレバー部５１を外に表出させ、連結軸部５２を摘み部として調整レバー用孔部５６から突出させている。
【００４５】
ピンホールレンズ３４の撮像範囲と撮像素子４３の位置との関係を図２０に示す。この図中イで示す円内がピンホールレンズ３４の撮像可能範囲であり、ロは右側撮像時の撮像素子４３の位置であり、ハは左側撮像時の撮像素子４３の位置である。
【００４６】
また、撮像素子４３が右に移動した場合のピンホールレンズ３４の撮像範囲Ｅと撮像可能範囲イは図２１に表すようになるし、撮像素子４３が左に移動した場合のピンホールレンズ３４の撮像範囲Ｅと撮像可能範囲イは図２２に表すようになる。
【００４７】
次に、上記のように構成された本発明に係るカメラ玄関子機の作動を説明する。
【００４８】
図２３に示すように、調整レバー５０が中立位置（標準位置）にある場合、ピンホールレンズ３４の中心ａと撮像素子４３の中心ｂがピンホールレンズカメラＰの中心線ｄ上に位置しており、ピンホールレンズ３４と撮像素子４３の位置関係が同位置にあり、ピンホールレンズカメラＰの撮像範囲Ｅは図２４に示すようになり、ピンホールレンズ３４の正面を撮像するようになる。
【００４９】
また、図２５に示すように、調整レバー５０を下方に移動させると、スライダー５３がレンズ坦持側スライドガイド部２５のガイド面部２７と立壁部２８とに摺動していて、カム用突起部５４がカム４８を下方向に向って摺動する。このために、カム用突起部５４がカム４８を介して可動部４０を図２５において右方向に移動させる。この移動は、可動部４０の左、右のガイド突起部４６Ａ、４６Ｂがレンズ坦持側フレーム部１２の左右のガイド孔部２３Ａ、２３Ｂ内を摺動することで行なわれる。
【００５０】
このように、可動部４０が右方向に移動ことにより、撮像素子４３の中心ｂがピンホールレンズカメラＰの中心線ｄから右にずれ、ピンホールレンズ３４の撮像範囲Ｅは図２６に示すようになり、ピンホールレンズカメラＰは、ピンホールレンズ３４の左側を撮像するようになる。
【００５１】
また、図２７に示すように、調整レバー５０を上方に移動させると、スライダー５３がレンズ坦持側スライドガイド部２５のガイド面部２７と立壁部２８とに摺動していて、カム用突起部５４がカム４８を上方向に向って摺動する。このために、カム用突起部５４がカム４８を介して可動部４０を左方向に移動させる。この移動は、可動部４０の左、右のガイド突起部４６Ａ、４６Ｂがレンズ坦持側フレーム部１２の左右のガイド孔部２３Ａ、２３Ｂ内を摺動することで行なわれる。
【００５２】
このように、可動部４０が左方向に移動することにより、撮像素子４３の中心ｂがピンホールレンズカメラＰの中心線ｄから左にずれ、ピンホールレンズカメラＰの撮像範囲得は図２８に示すようになり、ピンホールレンズカメラＰは、ピンホールレンズ３４の右側を撮像するようになる。
【００５３】
上記した本発明の実施の形態によれば、調整レバー５０を移動させることにより、カム用突起部５４をスライドガイド２９に沿って移動させてカム用突起部５４をカム４８に摺動させ、当該カム４８の傾斜によって、可動部４０を調整レバー５０の移動方向（左右方向）に対して垂直方向（上下方向）に移動させることで、ピンホールレンズ３４を固定した状態で撮像素子４３を移動させることができて、ピンホールレンズカメラＰの撮像範囲を変更することができる。この場合、調整レバー５０を上下に移動することにより撮像素子４３を左右に移動できるために、左右の撮像範囲を広くすることができる。したがって、バンダルプルーフ対応のためにピンホールレンズを使用したカメラ玄関子機として最適なものになり、設置が簡単で撮像範囲を容易に調整することができる。
【００５４】
また、本発明の実施の形態によれば、撮像素子４３を回路基板４２に実装し、この回路基板４２を基板保持プレート４１に保持させることで可動部４０が構成してあり、開口部２は子機ケース１に設けてあり、ピンホールレンズ３４は子機ケース１内に設けられた固定フレーム１０に固定してあり、可動部４０が固定フレーム１０に保持手段により移動可能に保持されていることにより、ピンホールレンズ４３が外部から見えないために、破壊されるのを防ぐことができて、外部からの破壊に強いカメラ玄関子機Ｆを構成することができる。
【００５５】
また、本発明の実施の形態によれば、撮像素子４３を基板保持プレート４１ごとに移動することで、カメラ全体を回転させる従来の場合に比べて移動に要するスペースが狭いものになって小型化できるし、また、移動調整手段の構造が簡単になる。
【００５６】
また、本発明の実施の形態によれば、固定フレーム１０は、ベース側フレーム部１１とレンズ坦持側フレーム部１２とを重ね合わせて構成してあり、保持手段は、ベース側フレーム部１１は設けられて可動部４０に摺接する複数の突起部１６Ａ、１６Ｂ、１６Ｃと、レンズ坦持側フレーム部１２に設けられて可動部４０の移動方向に長いガイド孔部２３Ａ、２３Ｂと、基板保持プレート４１に設けられてガイド孔部２３Ａ、２３Ｂに摺動可能に挿入されるガイド用突起部４６Ａ、４６Ｂとで構成してあることにより、調整レバー５０を移動することにより、可動部４０は複数の突起部１６Ａ、１６Ｂ、１６Ｃに摺接してその姿勢を規正されると共に、ガイド孔部２３Ａ、２３Ｂとガイド用突起部４６Ａ、４６Ｂとにより、左右に水平に案内されて移動し、撮像素子４３を左右に水平移動することができて、左右の撮像範囲を広くすることができる。したがって、バンダルプルーフ対応のためにピンホールレンズを使用したカメラ玄関子機として最適なものになる。
【００５７】
また、本発明の実施の形態によれば、開口部である窓部２は、撮像素子４３の最大移動位置においてピンホールレンズ３４を介して映像を結像できる大きさで開口していることにより、ピンホール３４Ａを最小限の大きさにできるために、外部からの破壊に強くなる。
【００５８】
また、本発明の実施の形態によれば、開口部である窓部２が光を透過する透明部材で覆われていることにより、外部からの水滴や粉塵が窓部２から子機ケース１内に侵入するのを防ぐことができる。
【００５９】
なお、各部材の形状等は上記した実施の形態にて説明したもののみに限定されず、仕様等によって適当に変更される。
【産業上の利用可能性】
【００６０】
本発明に係るカメラ玄関子機の撮像範囲調整装置によれば、ピンホールレンズを固定した状態で撮像素子を移動させることができて、カメラの撮像範囲を変更することができる。したがって、バンダルプルーフ対応のためにピンホールレンズを使用したカメラ玄関子機として最適なものになり、設置が簡単で撮像範囲を容易に調整することができるという効果を有しており、住宅用のインターホンの一種であるテレビドアホンなどにおけるカメラ玄関子機に適用され、カメラの撮像範囲を変更調整するカメラ玄関子機等に有用である。
【図面の簡単な説明】
【００６１】
【図１】本発明に係るカメラ玄関子機の斜視図
【図２】同カメラ玄関子機の裏面における調整レバー部分の説明図
【図３】同カメラ玄関子機の撮像範囲調整装置の前面（表側）から見た斜視図
【図４】同撮像範囲調整装置の後面（裏側）から見た斜視図
【図５】同撮像範囲調整装置の前面図
【図６】同撮像範囲調整装置の後面図
【図７】図６のＳ方向からの矢視図
【図８】同撮像範囲調整装置におけるベース側フレーム部の前面（表側）から見た斜視図
【図９】同ベース側フレーム部の後面（裏側）から見た斜視図
【図１０】同撮像範囲調整装置におけるレンズ坦持側フレーム部の前面（表側）から見た斜視図
【図１１】同レンズ坦持側フレーム部の後面（裏側）から見た斜視図
【図１２】同レンズ坦持側フレーム部の後面図
【図１３】図１２のＴ方向からの矢視図
【図１４】図１２のＵ方向からの矢視図
【図１５】可動部の前面（表側）から見た斜視図
【図１６】同可動部の前面図
【図１７】調整レバーの後面（裏側）から見た斜視図
【図１８】同調整レバーの前面（表側）から見た斜視図
【図１９】ピンホールレンズカメラの概略的な構成説明図
【図２０】ピンホールレンズの撮像範囲と撮像素子の位置との関係の説明図
【図２１】撮像素子が右に移動した場合のピンホールレンズの撮像範囲と撮像素子の位置との関係の説明図
【図２２】撮像素子が左に移動した場合のピンホールレンズの撮像範囲と撮像素子の位置との関係の説明図
【図２３】本発明に係るカメラ玄関子機の撮像範囲調整装置において、調整レバーが中立位置にある場合の作動説明図
【図２４】同ピンホールレンズカメラの通常の撮像範囲の説明図
【図２５】本発明に係るカメラ玄関子機の撮像範囲調整装置において、調整レバーを下方に移動させた場合の作動説明図
【図２６】同ピンホールレンズカメラにおいて、撮像素子が右に移動した場合の撮像範囲の説明図
【図２７】本発明に係るカメラ玄関子機の撮像範囲調整装置において、調整レバーを上方に移動させた場合の作動説明図
【図２８】同ピンホールレンズカメラにおいて、撮像素子が左に移動した場合の撮像範囲の説明図
【符号の説明】
【００６２】
Ａ        カメラ玄関子機の撮像範囲調整装置
Ｆ        カメラ玄関子機
Ｋ        収容空間
Ｍ        調整レバー保持ガイド部
Ｐ        ピンホールレンズカメラ
２        窓部（開口部）
２Ａ      透明部材
７        挿入孔
８ａ      前面部（正面部）
１０      固定フレーム
１１      ベース側フレーム部
１２      レンズ坦持側フレーム部
１３      ベース側スライドガイド部
１４      スライドガイド
１６Ａ    突起部（保持手段）
１６Ｂ    突起部（保持手段）
１６Ｃ    突起部（保持手段）
２０      レンズ装着部
２３Ａ    ガイド孔部（保持手段）
２３Ｂ    ガイド孔部（保持手段）
２５      レンズ坦持側スライドガイド部
２６      段差部
２７      開口部
２８      ガイド面部
２９      スライドガイド
３４      ピンホールレンズ（カメラレンズ）
３４Ａ    ピンホール
３４Ｆ    ダミーピンホール
３５      レンズ保持体
４０      可動部
４１      基板保持プレート
４２      回路基板
４３      撮像素子
４６Ａ    ガイド突起部（保持手段）
４６Ｂ    ガイド用突起部（保持手段）
４８      カム
５０      調整レバー
５１      レバー部
５２      連結軸部
５３      スライダー
５４      カム用突起部
６０      取付金具
【図１】
2006262307.tif 000003
【図２】
2006262307.tif 000004
【図３】
2006262307.tif 000005
【図４】
2006262307.tif 000006
【図５】
2006262307.tif 000007
【図６】
2006262307.tif 000008
【図７】
2006262307.tif 000009
【図８】
2006262307.tif 000010
【図９】
2006262307.tif 000011
【図１０】
2006262307.tif 000012
【図１１】
2006262307.tif 000013
【図１２】
2006262307.tif 000014
【図１３】
2006262307.tif 000015
【図１４】
2006262307.tif 000016
【図１５】
2006262307.tif 000017
【図１６】
2006262307.tif 000018
【図１７】
2006262307.tif 000019
【図１８】
2006262307.tif 000020
【図１９】
2006262307.tif 000021
【図２０】
2006262307.tif 000022
【図２１】
2006262307.tif 000023
【図２２】
2006262307.tif 000024
【図２３】
2006262307.tif 000025
【図２４】
2006262307.tif 000026
【図２５】
2006262307.tif 000027
【図２６】
2006262307.tif 000028
【図２７】
2006262307.tif 000029
【図２８】
2006262307.tif 000030